(57)【要約】【課題】ユーザの負担を軽減すること。【解決手段】ＯＬＴ１００は、ＯＮＵ２００＿ｉが通信していないときにＯＮＵ２００＿ｉを省電力モードに移行する機能が有効になっているＯＮＵ２００＿ｉと通信する通信部１１と、ＯＮＵ２００＿ｉと端末装置３００＿ｉとの間の通信状態を確認するための試験情報を、通信部１１とＯＮＵ２００＿ｉを介して、端末装置３００＿ｉに送信し、試験情報に対する応答である応答情報を受信しない場合、機能を無効にさせるための指示を、通信部１１を介して、ＯＮＵ２００＿ｉに送信する制御部１２と、を有する。【選択図】図３
2020198479.tif 000002
【特許請求の範囲】
【請求項１】
親局装置と、子局装置と、端末装置とを含む通信システムのうちの前記親局装置である光通信装置であって、
前記子局装置が通信していないときに前記子局装置を省電力モードに移行する機能が有効になっている前記子局装置と通信する通信部と、
前記子局装置と前記端末装置との間の通信状態を確認するための試験情報を、前記通信部と前記子局装置を介して、前記端末装置に送信し、前記試験情報に対する応答である応答情報を受信しない場合、前記機能を無効にさせるための指示を、前記通信部を介して、前記子局装置に送信する制御部と、
を有する光通信装置。
【請求項２】
前記機能は、省電力型イーサネットに基づく機能である、
請求項１に記載の光通信装置。
【請求項３】
前記制御部は、ＩＰアドレスを管理する管理装置と前記端末装置との間で前記端末装置に前記ＩＰアドレスを割り当てる処理が行われているときに前記ＩＰアドレスを取得し、前記ＩＰアドレスが割り当てられる前記端末装置を前記試験情報の送信先と決定する、
請求項１又は２に記載の光通信装置。
【請求項４】
前記制御部は、前記試験情報を前記端末装置に送信したことが有るか無いかを示す試験履歴情報に基づいて、前記試験情報を前記端末装置に送信したことが無い場合、前記通信部と前記子局装置を介して、前記試験情報を前記端末装置に送信し、前記試験情報を前記端末装置に送信したことが有る場合、前記試験情報を送信しない、
請求項１から３のいずれか１項に記載の光通信装置。
【請求項５】
前記制御部は、１以上の前記試験情報を、前記通信部と前記子局装置を介して、前記端末装置に送信し、前記試験情報の送信数と前記応答情報の受信数とが異なる場合、前記機能を無効にさせるための指示を、前記通信部を介して、前記子局装置に送信する、
請求項１から４のいずれか１項に記載の光通信装置。
【請求項６】
親局装置と、子局装置と、端末装置とを含む通信システムのうちの前記親局装置である光通信装置が、
前記子局装置が通信していないときに前記子局装置を省電力モードに移行する機能が有効になっている前記子局装置と前記端末装置との間の通信状態を確認するための試験情報を、前記子局装置を介して、前記端末装置に送信し、
前記試験情報に対する応答である応答情報を受信しない場合、前記機能を無効にさせるための指示を前記子局装置に送信する、
制御方法。
【請求項７】
親局装置と、子局装置と、端末装置とを含む通信システムのうちの前記親局装置である光通信装置に、
前記子局装置が通信していないときに前記子局装置を省電力モードに移行する機能が有効になっている前記子局装置と前記端末装置との間の通信状態を確認するための試験情報を、前記子局装置を介して、前記端末装置に送信し、
前記試験情報に対する応答である応答情報を受信しない場合、前記機能を無効にさせるための指示を前記子局装置に送信する、
処理を実行させる制御プログラム。
【発明の詳細な説明】
【技術分野】
【０００１】
本発明は、光通信装置、制御方法、及び制御プログラムに関する。
【背景技術】
【０００２】
光通信システムであるＰＯＮ（Ｐａｓｓｉｖｅ  Ｏｐｔｉｃａｌ  Ｎｅｔｗｏｒｋ）システムが、知られている。ＰＯＮシステムは、通信事業者局舎に設置される光通信装置（親局装置とも言う）と、加入者側（子局側とも言う）の複数の光通信装置（子局装置とも言う）とを含む。親局装置は、ＯＬＴ（Ｏｐｔｉｃａｌ  Ｌｉｎｅ  Ｔｅｒｍｉｎａｔｉｏｎ）と言う。子局装置は、ＯＮＵ（Ｏｐｔｉｃａｌ  Ｎｅｔｗｏｒｋ  Ｕｎｉｔ）と言う。また、ＯＮＵには、端末装置が接続している。
【０００３】
ＯＮＵと端末装置との間で通信障害が発生する場合がある。ここで、通信障害が発生した場合、通信制御装置がデータ通信を制御するために必要な情報を再設定する技術が提案されている（特許文献１を参照）。
【先行技術文献】
【特許文献】
【０００４】
【特許文献１】特開２０１５−１５９４２８号公報
【発明の概要】
【発明が解決しようとする課題】
【０００５】
ところで、ＯＮＵには、省電力型イーサネット（ＩＥＥＥ８０２．３  Ｃｌａｕｓｅ７８  Ｅｎｅｒｇｙ−Ｅｆｆｉｃｉｅｎｔ  Ｅｔｈｅｒｎｅｔ（ＥＥＥ））に基づく機能が含まれている場合がある。以下、省電力型イーサネットに基づく機能は、ＥＥＥ機能と呼ぶ。なお、イーサネットは、登録商標である。
ＯＮＵと端末装置との間で通信障害が発生した場合、ＯＮＵでは、ＥＥＥ機能が有効から無効に設定される。そして、ＯＮＵは、通信障害からの回復を試みる。
【０００６】
このように、通信障害が発生した場合、ＯＮＵでは、ＥＥＥ機能が無効に設定される。ここで、ＥＥＥ機能をどのように無効に設定するかが問題である。例えば、上記の技術を用いる方法が考えられる。しかし、上記の技術では、通信障害が発生する前と同じ内容が再設定される。すなわち、上記技術では、無効が設定されない。そのため、上記の技術を用いることはできない。そこで、無効に設定する方法として、ユーザの操作によってＥＥＥ機能を無効に設定する方法が考えられる。しかし、ユーザの操作によってＥＥＥ機能を無効に設定する方法は、ユーザの負担が大きい。
【０００７】
本発明の目的は、ユーザの負担を軽減することである。
【課題を解決するための手段】
【０００８】
本発明の一態様に係る光通信装置が提供される。光通信装置は、親局装置と、子局装置と、端末装置とを含む通信システムのうちの前記親局装置である。光通信装置は、前記子局装置が通信していないときに前記子局装置を省電力モードに移行する機能が有効になっている前記子局装置と通信する通信部と、前記子局装置と前記端末装置との間の通信状態を確認するための試験情報を、前記通信部と前記子局装置を介して、前記端末装置に送信し、前記試験情報に対する応答である応答情報を受信しない場合、前記機能を無効にさせるための指示を、前記通信部を介して、前記子局装置に送信する制御部と、を有する。
【発明の効果】
【０００９】
本発明によれば、ユーザの負担を軽減することができる。
【図面の簡単な説明】
【００１０】
【図１】実施の形態１の通信システムを示す図である。
【図２】実施の形態１のＯＬＴが有するハードウェアの構成を示す図である。
【図３】実施の形態１のＯＬＴとＯＮＵの構成を示す機能ブロック図である。
【図４】実施の形態１の通信システムで実行される処理の概要を示すシーケンス図である。
【図５】実施の形態１のパケットのフィールドを説明するための図である。
【図６】実施の形態１のＯＬＴが実行する処理のフローチャートを示す図である。
【図７】実施の形態２のＯＬＴとＯＮＵの構成を示す機能ブロック図である。
【図８】実施の形態２のＯＬＴが実行する処理のフローチャートを示す図（その１）である。
【図９】実施の形態２のＯＬＴが実行する処理のフローチャートを示す図（その２）である。
【図１０】実施の形態３のＯＬＴとＯＮＵの構成を示す機能ブロック図である。
【図１１】実施の形態３のＯＬＴが実行する処理のフローチャートを示す図（その１）である。
【図１２】実施の形態３のＯＬＴが実行する処理のフローチャートを示す図（その２）である。
【発明を実施するための形態】
【００１１】
以下、図面を参照しながら実施の形態を説明する。以下の実施の形態は、例にすぎず、本発明の範囲内で種々の変更が可能である。
【００１２】
実施の形態１．
図１は、実施の形態１の通信システムを示す図である。通信システムは、ＯＬＴ１００、ＯＮＵ２００＿１，・・・，２００＿ｎ（ｎは、２以上の整数）、及び端末装置３００＿１，・・・，３００＿ｎ（ｎは、２以上の整数）を含む。ＯＬＴ１００は、制御方法を実行する装置である。
【００１３】
ＯＬＴ１００とＯＮＵ２００＿１，・・・，２００＿ｎは、光カプラ４００を介して接続する。ＯＮＵ２００＿１，・・・，２００＿ｎは、端末装置３００＿１，・・・，３００＿ｎと有線ケーブルで接続する。
ここで、ＯＮＵ２００＿１，・・・，２００＿ｎの総称は、ＯＮＵ２００＿ｉ（ｉは、正の整数）と呼ぶ。端末装置３００＿１，・・・，３００＿ｎの総称は、端末装置３００＿ｉ（ｉは、正の整数）と呼ぶ。
【００１４】
次に、ＯＬＴ１００が有するハードウェアについて説明する。
図２は、実施の形態１のＯＬＴが有するハードウェアの構成を示す図である。ＯＬＴ１００は、プロセッサ１０１、揮発性記憶装置１０２、及び不揮発性記憶装置１０３を有する。
【００１５】
プロセッサ１０１は、ＯＬＴ１００全体を制御する。例えば、プロセッサ１０１は、ＣＰＵ（Ｃｅｎｔｒａｌ  Ｐｒｏｃｅｓｓｉｎｇ  Ｕｎｉｔ）、又はＦＰＧＡ（Ｆｉｅｌｄ  Ｐｒｏｇｒａｍｍａｂｌｅ  Ｇａｔｅ  Ａｒｒａｙ）などである。プロセッサ１０１は、マルチプロセッサでもよい。ＯＬＴ１００は、処理回路によって実現されてもよく、又は、ソフトウェア、ファームウェア若しくはそれらの組み合わせによって実現されてもよい。なお、処理回路は、単一回路又は複合回路でもよい。
【００１６】
揮発性記憶装置１０２は、ＯＬＴ１００の主記憶装置である。例えば、揮発性記憶装置１０２は、ＲＡＭ（Ｒａｎｄｏｍ  Ａｃｃｅｓｓ  Ｍｅｍｏｒｙ）である。不揮発性記憶装置１０３は、ＯＬＴ１００の補助記憶装置である。例えば、不揮発性記憶装置１０３は、ＳＳＤ（Ｓｏｌｉｄ  Ｓｔａｔｅ  Ｄｒｉｖｅ）である。
ＯＮＵ２００＿ｉと端末装置３００＿ｉは、同様に、プロセッサ、揮発性記憶装置、及び不揮発性記憶装置を有する。
【００１７】
次に、ＯＬＴ１００とＯＮＵ２００＿ｉの機能を説明する。
図３は、実施の形態１のＯＬＴとＯＮＵの構成を示す機能ブロック図である。ＯＬＴ１００は、通信部１１と制御部１２とを有する。通信部１１は、ＰＯＮ制御部１１０を含む。制御部１２は、ＯＮＵ制御部１２０と通信試験部１３０を含む。
【００１８】
通信部１１、制御部１２、ＰＯＮ制御部１１０、ＯＮＵ制御部１２０、及び通信試験部１３０の一部又は全部は、プロセッサ１０１によって実現してもよい。通信部１１、制御部１２、ＰＯＮ制御部１１０、ＯＮＵ制御部１２０、及び通信試験部１３０の一部又は全部は、プロセッサ１０１が実行するプログラムのモジュールとして実現してもよい。例えば、プロセッサ１０１が実行するプログラムは、制御プログラムとも言う。例えば、制御プログラムは、記録媒体に記録されている。
【００１９】
通信部１１は、ＯＮＵ２００＿ｉと通信する。通信部１１の機能については、ＰＯＮ制御部１１０を用いて詳細に説明する。ＰＯＮ制御部１１０は、ＯＮＵ２００＿ｉと接続するための制御を行う。また、ＰＯＮ制御部１１０は、ＯＮＵ２００＿ｉと光通信を行う。そのため、ＰＯＮ制御部１１０は、Ｏ（Ｏｐｔｉｃａｌ）／Ｅ（Ｅｌｅｃｔｒｉｃａｌ）変換機能を有する。
【００２０】
制御部１２は、通信部１１とＯＮＵ２００＿ｉを介して、試験情報を、端末装置３００＿ｉに送信する。試験情報は、ＯＮＵ２００＿ｉと端末装置３００＿ｉとの間の通信状態を確認するための情報である。制御部１２は、試験情報に対する応答である応答情報を受信しない場合、ＥＥＥ機能を無効にさせるための指示を、通信部１１を介して、ＯＮＵ２００＿ｉに送信する。
【００２１】
制御部１２の機能については、ＯＮＵ制御部１２０と通信試験部１３０とを用いて詳細に説明する。
ＯＮＵ制御部１２０は、ＯＮＵ２００＿ｉの状態を管理する。また、ＯＮＵ制御部１２０は、ＯＮＵ２００＿ｉに対する設定制御を行う。通信試験部１３０は、ＯＮＵ２００＿ｉと端末装置３００＿ｉとの間の通信状態を試験する。
【００２２】
ＯＮＵ２００＿ｉは、ＰＯＮ制御部２１０とＵＮＩ（Ｕｓｅｒ  Ｎｅｔｗｏｒｋ  Ｉｎｔｅｒｆａｃｅ）部２２０とを有する。ＵＮＩ部２２０は、記憶部２２１を有する。例えば、記憶部２２１は、ＰＨＹレジスタで実現してもよい。
ＰＯＮ制御部２１０は、ＯＬＴ１００と光通信を行う。そのため、ＰＯＮ制御部２１０は、Ｏ／Ｅ変換機能を有する。
【００２３】
ＵＮＩ部２２０は、端末装置３００＿ｉと接続するための制御を行う。記憶部２２１は、ＥＥＥ機能に関する情報を記憶する。ＥＥＥ機能は、ＯＮＵ２００＿ｉが通信していないときにＯＮＵ２００＿ｉを省電力モードに移行する機能である。よって、ＥＥＥ機能が有効な場合、ＯＮＵ２００＿ｉは、通信を行っていないとき、省電力モードに移行する。
【００２４】
次に、通信システムで実行される処理の概要について、シーケンス図を用いて説明する。
図４は、実施の形態１の通信システムで実行される処理の概要を示すシーケンス図である。また、ＯＮＵ２００＿ｉのＥＥＥ機能は、有効になっているものとする。
（ステップＳＴ１０１）ＯＬＴ１００とＯＮＵ２００＿ｉは、リンクアップする。当該リンクアップは、ＯＮＵリンクアップと呼ぶ。
【００２５】
（ステップＳＴ１０２）ＯＮＵ２００＿ｉと端末装置３００＿ｉは、リンクアップする。当該リンクアップは、ＵＮＩリンクアップと呼ぶ。
（ステップＳＴ１０３）ＯＮＵ２００＿ｉのＵＮＩ部２２０は、端末装置３００＿ｉと接続可能状態になったことをＰＯＮ制御部２１０に通知する。
ＯＮＵ２００＿ｉのＰＯＮ制御部２１０は、端末装置３００＿ｉと接続可能状態になったことをＯＬＴ１００に通知する。当該通知は、ＵＮＩリンクアップ通知と呼ぶ。すなわち、ＯＮＵ２００＿ｉのＰＯＮ制御部２１０は、ＵＮＩリンクアップ通知をＯＬＴ１００に送信する。
【００２６】
（ステップＳＴ１０４）ＯＬＴ１００は、１以上の試験用要求パケットを送信する。試験用要求パケットは、試験情報である。例えば、試験用要求パケットでは、ＡＲＰ（Ａｄｄｒｅｓｓ  Ｒｅｓｏｌｕｔｉｏｎ  Ｐｒｏｔｏｃｏｌ）要求パケットが用いられてもよい。ここで、ＡＲＰ要求パケットのフィールドを説明する。
【００２７】
図５は、実施の形態１のパケットのフィールドを説明するための図である。表５００は、ＡＲＰ要求パケットのフィールドを示している。また、表５００は、ＡＲＰ要求パケットに設定される情報を例示している。すなわち、表５００は、試験用要求パケットに設定される情報を例示している。
【００２８】
（ステップＳＴ１０５）端末装置３００＿ｉは、試験用要求パケットを受信する度に、試験用応答パケットを送信する。試験用応答パケットは、応答情報である。例えば、試験用応答パケットでは、ＡＲＰ応答パケットが用いられてもよい。
【００２９】
ここで、ＡＲＰ応答パケットを説明する。図５の表５０１は、ＡＲＰ応答パケットに設定される情報を例示している。すなわち、表５０１は、試験用応答パケットに設定される情報を例示している。
【００３０】
（ステップＳＴ１０６）ＯＬＴ１００は、試験用要求パケットの送信数と試験用応答パケットの受信数とを比較する。試験用要求パケットの送信数と試験用応答パケットの受信数とが同じ場合、ＯＬＴ１００は、通信障害が発生していないと判定する。また、試験用要求パケットの送信数と試験用応答パケットの受信数とが異なる場合、ＯＬＴ１００は、通信障害が発生していると判定する。
ここで、試験用要求パケットの送信数と試験用応答パケットの受信数とが、異なるものとする。ＯＬＴ１００は、ＥＥＥ機能を無効にさせるための指示である無効設定指示を送信する。
【００３１】
（ステップＳＴ１０７）ＯＮＵ２００＿ｉのＰＯＮ制御部２１０は、ＥＥＥ機能を無効に設定する。
【００３２】
次に、ＯＬＴ１００が実行する処理を詳細に説明する。
図６は、実施の形態１のＯＬＴが実行する処理のフローチャートを示す図である。
（ステップＳ１１）ＰＯＮ制御部１１０は、ＩＥＥＥ８０２．３に規定されているＭＰＣＰ（Ｍｕｌｔｉ−Ｐｏｉｎｔ  Ｃｏｎｔｒｏｌ  Ｐｒｏｔｏｃｏｌ）に従い、ＯＮＵ２００＿ｉと通信するための制御を実行する。これにより、ＰＯＮ制御部１１０は、リンクアップになる。
【００３３】
（ステップＳ１２）ＰＯＮ制御部１１０は、ＯＮＵ２００＿ｉと通信可能な状態になったことをＯＮＵ制御部１２０に通知する。当該通知は、ＯＵＮリンクアップ通知とも言う。すなわち、ＰＯＮ制御部１１０は、ＯＵＮリンクアップ通知をＯＮＵ制御部１２０に送信する。また、ＯＵＮリンクアップ通知には、ＯＮＵ２００＿ｉのＭＡＣ（Ｍｅｄｉａ  Ａｃｃｅｓｓ  Ｃｏｎｔｒｏｌ）アドレスが含まれる。
【００３４】
ここで、ＯＬＴ１００は、予めＯＮＵ２００＿ｉのＭＡＣアドレスと、端末装置３００＿ｉのＩＰ（Ｉｎｔｅｒｎｅｔ  Ｐｒｏｔｏｃｏｌ）アドレスを記憶しているものとする。なお、端末装置３００＿ｉにＩＰアドレスを設定するサービスとして、固定ＩＰサービスがある。
【００３５】
（ステップＳ１３）ＰＯＮ制御部１１０は、ＵＮＩリンクアップ通知をＯＮＵ２００＿ｉから受信する。
（ステップＳ１４）ＰＯＮ制御部１１０は、ＵＮＩリンクアップ通知をＯＮＵ制御部１２０に送信する。
【００３６】
（ステップＳ１５）ＯＮＵ制御部１２０は、試験用要求パケットの送信を通信試験部１３０に指示する。なお、当該指示には、ＯＮＵ２００＿ｉのＭＡＣアドレス、端末装置３００＿ｉのＩＰアドレス、及び試験用要求パケットの送信数が含まれる。
（ステップＳ１６）通信試験部１３０は、当該指示に従い、１以上の試験用要求パケットを、ＰＯＮ制御部１１０とＯＮＵ２００＿ｉを介して、送信する。
ＰＯＮ制御部１１０は、試験用応答パケットを受信した場合、試験用応答パケットを受信したことを通信試験部１３０に通知する。すなわち、ＰＯＮ制御部１１０は、試験用応答パケットを受信する度に、試験用応答パケットを受信したことを通信試験部１３０に通知する。
【００３７】
（ステップＳ１７）通信試験部１３０は、試験用応答パケットの受信数をＯＮＵ制御部１２０に送信する。
（ステップＳ１８）ＯＮＵ制御部１２０は、試験用要求パケットの送信数と試験用応答パケットの受信数とが同じであるか否かを判定する。
【００３８】
試験用要求パケットの送信数と試験用応答パケットの受信数とが同じ場合、ＯＮＵ制御部１２０は、通信障害が発生していないと判定する。そして、ＯＮＵ制御部１２０は、処理を終了する。
試験用要求パケットの送信数と試験用応答パケットの受信数とが異なる場合、ＯＮＵ制御部１２０は、通信障害が発生していると判定する。そして、ＯＮＵ制御部１２０は、処理をステップＳ１９に進める。
【００３９】
（ステップＳ１９）ＯＮＵ制御部１２０は、ＰＯＮ制御部１１０を介して、無効設定指示をＯＮＵ２００＿ｉに送信する。
【００４０】
実施の形態１によれば、ＯＬＴ１００は、無効設定指示をＯＮＵ２００＿ｉに送信する。これにより、ＯＮＵ２００＿ｉは、ＥＥＥ機能を無効に設定する。このように、ユーザが操作を行わずに、ＯＮＵ２００＿ｉは、ＥＥＥ機能を無効に設定する。よって、ＯＬＴ１００は、ユーザの負担を軽減することができる。
【００４１】
実施の形態２．
次に、実施の形態２を説明する。実施の形態２は、実施の形態１と相違する事項を主に説明し、実施の形態１と共通する事項の説明を省略する。実施の形態２は、図１〜６を参照する。
【００４２】
実施の形態１では、ＯＬＴ１００が予め端末装置３００＿ｉのＩＰアドレスを記憶している場合を説明した。実施の形態２では、端末装置３００＿ｉのＩＰアドレスが取得される場合を説明する。
【００４３】
図７は、実施の形態２のＯＬＴとＯＮＵの構成を示す機能ブロック図である。図３に示される構成と同じ図７の構成は、図３に示される符号と同じ符号を付している。ＯＬＴ１００ａは、制御部１２ａを有する。制御部１２ａは、ＯＮＵ制御部１２０ａとスヌーピング部１４０を有する。
【００４４】
ＯＮＵ制御部１２０ａとスヌーピング部１４０の一部又は全部は、プロセッサ１０１によって実現してもよい。ＯＮＵ制御部１２０ａとスヌーピング部１４０の一部又は全部は、プロセッサ１０１が実行するプログラムのモジュールとして実現してもよい。
【００４５】
ここで、端末装置３００＿ｉにＩＰアドレスを割り当てる場合、端末装置３００＿ｉとＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとの間で、ＤＨＣＰシーケンスに基づく通信が行われる。すなわち、端末装置３００＿ｉとＤＨＣＰサーバとの間で、端末装置３００＿ｉにＩＰアドレスを割り当てる処理が行われる。なお、ＤＨＣＰサーバは、ＩＰアドレスを管理する装置である。ＤＨＣＰサーバは、管理装置とも言う。また、ＤＨＣＰサーバの図示は、省略している。
【００４６】
制御部１２ａは、端末装置３００＿ｉにＩＰアドレスを割り当てる処理が行われているときにＩＰアドレスを取得する。制御部１２ａは、ＩＰアドレスが割り当てられる端末装置３００＿ｉを試験用要求パケットの送信先と決定する。制御部１２ａの機能を、ＯＮＵ制御部１２０ａとスヌーピング部１４０を用いて詳細に説明する。スヌーピング部１４０は、端末装置３００＿ｉとＤＨＣＰサーバとの間の通信において、端末装置３００＿ｉに割り当てるＩＰアドレスなどをスヌーピングする。すなわち、スヌーピング部１４０は、ＩＰアドレスを取得する。ＯＮＵ制御部１２０ａは、端末装置３００＿ｉを試験用要求パケットの送信先と決定する。
【００４７】
図８は、実施の形態２のＯＬＴが実行する処理のフローチャートを示す図（その１）である。図９は、実施の形態２のＯＬＴが実行する処理のフローチャートを示す図（その２）である。
図８の処理では、ステップＳ１４ａ，１４ａ＿１が実行される点が、実施の形態１の処理と異なる。そのため、図８では、ステップＳ１４ａ，１４ａ＿１を説明する。図８，９における他のステップについては、図６のステップ番号と同じ番号を付することによって、処理の説明を省略する。
【００４８】
（ステップＳ１４ａ）スヌーピング部１４０は、端末装置３００＿ｉとＤＨＣＰサーバとの間の通信において、端末装置３００＿ｉに関する情報をスヌーピングする。端末装置３００＿ｉに関する情報は、端末情報と呼ぶ。端末情報には、ＯＮＵ２００＿ｉのＭＡＣアドレス、ＵＮＩポート番号、端末装置３００＿ｉのＩＰアドレス、及び端末装置３００＿ｉのＭＡＣアドレスが含まれる。
【００４９】
（ステップＳ１４ａ＿１）スヌーピング部１４０は、端末情報をＯＮＵ制御部１２０ａに送信する。ＯＮＵ制御部１２０ａは、端末装置３００＿ｉを試験用要求パケットの送信先と決定する。そして、処理は、ステップＳ１５に進む。
【００５０】
実施の形態２によれば、ＯＬＴ１００ａは、無効設定指示をＯＮＵ２００＿ｉに送信する。これにより、ＯＮＵ２００＿ｉは、ＥＥＥ機能を無効に設定する。このように、ユーザが操作を行わずに、ＯＮＵ２００＿ｉは、ＥＥＥ機能を無効に設定する。よって、ＯＬＴ１００ａは、ユーザの負担を軽減することができる。
【００５１】
実施の形態３．
次に、実施の形態３を説明する。実施の形態３は、実施の形態１，２と相違する事項を主に説明し、実施の形態１，２と共通する事項の説明を省略する。実施の形態３は、図１〜９を参照する。
【００５２】
実施の形態１，２では、ＯＮＵ２００＿ｉがリンクアップする度に、通信障害の判定が行われる場合を説明した。実施の形態３では、通信障害の判定を頻繁に行わない場合を説明する。
【００５３】
図１０は、実施の形態３のＯＬＴとＯＮＵの構成を示す機能ブロック図である。図７に示される構成と同じ図１０の構成は、図７に示される符号と同じ符号を付している。ＯＬＴ１００ｂは、制御部１２ｂと試験履歴記憶部１５０を有する。制御部１２ｂは、ＯＮＵ制御部１２０ｂとスヌーピング部１４０ｂを有する。
【００５４】
まず、試験履歴記憶部１５０を説明する。試験履歴記憶部１５０は、揮発性記憶装置１０２又は不揮発性記憶装置１０３に確保した記憶領域として実現してもよい。
試験履歴記憶部１５０は、試験履歴情報を記憶する。試験履歴情報は、試験用要求パケットを端末装置３００＿ｉに送信したことが有るか無いかを示す情報である。詳細には、試験履歴情報は、試験が実施されたＯＮＵのＭＡＣアドレスと、当該ＯＮＵのＵＮＩポート番号と、当該ＯＮＵに接続されている端末装置のＭＡＣアドレスとの対応関係を示す。
【００５５】
ＯＮＵ制御部１２０ｂの機能については、後で説明する。
スヌーピング部１４０ｂは、試験履歴情報に基づいて、試験用要求パケットを端末装置３００＿ｉに送信したことが無い場合、ＰＯＮ制御部１１０とＯＮＵ２００＿ｉを介して、試験用要求パケットを端末装置３００＿ｉに送信する。また、スヌーピング部１４０ｂは、試験用要求パケットを端末装置３００＿ｉに送信したことが有る場合、試験用要求パケットを送信しない。
【００５６】
図１１は、実施の形態３のＯＬＴが実行する処理のフローチャートを示す図（その１）である。図１２は、実施の形態３のＯＬＴが実行する処理のフローチャートを示す図（その２）である。
図１１の処理では、ステップＳ１４ｂ，１４ｃ，１４ｄ，１４ｅが実行される点が、実施の形態２の処理と異なる。そのため、図１１では、ステップＳ１４ｂ，１４ｃ，１４ｄ，１４ｅを説明する。図１１，１２における他のステップについては、図６，８のステップ番号と同じ番号を付することによって、処理の説明を省略する。また、実施の形態３では、ステップＳ１４ａ＿１は、実行されない。さらに、ステップＳ１４ａは、スヌーピング部１４０ｂが実行する。
【００５７】
（ステップＳ１４ｂ）スヌーピング部１４０ｂは、試験履歴情報を用いて、端末情報を照会する。すなわち、スヌーピング部１４０ｂは、試験履歴情報を用いて、ＯＮＵ２００＿ｉのＭＡＣアドレス、ＵＮＩポート番号、端末装置３００＿ｉのＭＡＣアドレスを照会する。
【００５８】
（ステップＳ１４ｃ）スヌーピング部１４０ｂは、照会の結果、試験を実行しているか否かを判定する。
ここで、例えば、試験を実行している場合とは、端末装置３００＿ｉに２つ目のＩＰが割り当てられる場合である。また、例えば、試験を実行している場合とは、端末装置３００＿ｉに割り当てられていたＩＰアドレスが解放された後、端末装置３００＿ｉにＩＰアドレスを再割り当てする場合である。
試験を実行している場合、スヌーピング部１４０ｂは、処理を終了する。試験を実行していない場合、スヌーピング部１４０ｂは、処理をステップＳ１４ｄに進める。
【００５９】
（ステップＳ１４ｄ）スヌーピング部１４０ｂは、端末情報をＯＮＵ制御部１２０ｂに送信する。ＯＮＵ制御部１２０ｂは、端末装置３００＿ｉを試験用要求パケットの送信先と決定する。
（ステップＳ１４ｅ）スヌーピング部１４０ｂは、ＯＮＵ２００＿ｉのＭＡＣアドレス、ＵＮＩポート番号、端末装置３００＿ｉのＭＡＣアドレスを試験履歴情報に追加する。そして、スヌーピング部１４０ｂは、処理をステップＳ１５に進める。
【００６０】
実施の形態３によれば、ＯＬＴ１００ｂは、試験を実行する回数を減らす。よって、ＯＬＴ１００ｂは、試験を実行する処理負担を軽減できる。
【００６１】
実施の形態１〜３は、ＥＥＥ機能を有するスイッチ又はルータに適用できる。実施の形態１〜３は、ＯＮＵ２００＿ｉが複数のＵＮＩ部を有する場合にも適用できる。さらに、実施の形態１〜３では、試験用パケットとして、ＲＡＲＰ（Ｒｅｖｅｒｓｅ  Ａｄｄｒｅｓｓ  Ｒｅｓｏｌｕｔｉｏｎ  Ｐｒｏｔｏｃｏｌ）パケット、又はＩＣＭＰ（Ｉｎｔｅｒｎｅｔ  Ｃｏｎｔｒｏｌ  Ｍｅｓｓａｇｅ  Ｐｒｏｔｏｃｏｌ）パケットが用いられてもよい。
【００６２】
以上に説明した各実施の形態における特徴は、互いに適宜組み合わせることができる。
【符号の説明】
【００６３】
１１  通信部、  １２，１２ａ，１２ｂ  制御部、  １００，１００ａ，１００ｂ  ＯＬＴ、  １０１  プロセッサ、  １０２  揮発性記憶装置、  １０３  不揮発性記憶装置、  １１０  ＰＯＮ制御部、  １２０，１２０ａ，１２０ｂ  ＯＮＵ制御部、  １３０  通信試験部、  １４０，１４０ｂ  スヌーピング部、  １５０  試験履歴記憶部、  ２００＿１，２００＿ｎ，２００＿ｉ  ＯＮＵ、  ２１０  ＰＯＮ制御部、  ２２０  ＵＮＩ部、  ２２１  記憶部、  ３００＿１，３００＿ｎ，３００＿ｉ  端末装置、  ４００  光カプラ、  ５００，５０１  表。
【図１】
2020198479.tif 000003
【図２】
2020198479.tif 000004
【図３】
2020198479.tif 000005
【図４】
2020198479.tif 000006
【図５】
2020198479.tif 000007
【図６】
2020198479.tif 000008
【図７】
2020198479.tif 000009
【図８】
2020198479.tif 000010
【図９】
2020198479.tif 000011
【図１０】
2020198479.tif 000012
【図１１】
2020198479.tif 000013
【図１２】
2020198479.tif 000014